(57)【特許請求の範囲】
【請求項１】
エレクトロクロミックシステム（１００）であり、当該エレクトロクロミックシステム（１００）を通して明瞭な視界を可能にする透明なエレクトロクロミックシステム（１００）であって、
閉鎖容積（Ｖ）を規定する２つの外壁（１０、１１）であって、当該外壁と、２つの対向面の間にある上記閉鎖容積とを通る方向に見たとき、当該システムが透明となる２つの外壁（１０、１１）と、
上記閉鎖容積（Ｖ）に含まれる液体またはゲルと、
上記液体または上記ゲルに分散された第一および第二の電気的活性物質であって、互いに異なる酸化−還元電位値を有しており、当該第一および当該第二の電気的活性物質の少なくとも一部は、当該物質の酸化形態と還元形態との間で異なる光学効果を有している第一および第二の電気的活性物質と、
対となる透明な供給電極（１、２）であって、上記システムの動作における同じ瞬間に、上記第一および上記第二の電気的活性物質の間での反転モードにおいて、上記電気的活性物質の少なくとも一部から電子を輸送するか、または上記電気的活性物質の少なくとも一部へと電子を輸送することを目的として、上記２つの外壁のうち１つ（１０）によって共に支持されているとともに、上記システムに電流を供給するために第一の可変電源（２０）の２つの出力端子の各々と接続されるように形成された、透明な供給電極（１、２）とを備えており、
当該システムは、対となる透明な第一の分極用電極（３、４）をさらに備えており、当該第一の分極用電極は、上記２つの外壁のうち、上記供給電極（１、２）を支持している方（１０）でない方の外壁（１１）によって共に支持されているとともに、当該システム内において上記供給電極と接続しておらず、また、当該第一の分極用電極（３、４）は、上記外壁（１０、１１）と直交する方向（Ｄ）に沿った上記閉鎖容積のいずれかの側面上に、供給電極（１、２）に対向して一対一で位置づけられており、
第一の分極用電極（３、４）の各々、および上記第一の分極用電極と対向して位置する供給電極（１、２）の各々は、第二の可変電源（２１）の２つの出力端子と接続されるように形成され、また上記システムの動作の少なくともある瞬間には互いに一致する極性をそれぞれ有しており、上記第一の電源（２０）および第二の電源（２１）の上記出力端子は上記供給電極（１、２）のいずれかと接続されており、上記極性は、対応する電源の他の出力端子についてそれぞれ決定されていることを特徴とするシステム。
【請求項２】
上記供給電極（１、２）と、当該供給電極を支持している上記外壁（１０）との間に配置されている追加の透明な分極用電極（９）をさらに備えており、当該追加の分極用電極は、上記供給電極、上記閉鎖容積（Ｖ）に含まれる上記液体またはゲル、および上記分極用電極（３、４）と接触していないとともに、電位を有している基準端子に接続されるように形成されている、請求項１に記載のシステム。
【請求項３】
エレクトロクロミックシステム（１００）であり、当該エレクトロクロミックシステム（１００）を通して明瞭な視界を可能にする透明なエレクトロクロミックシステム（１００）であって、
閉鎖容積（Ｖ）を規定する２つの外壁（１０、１１）であって、当該システムが、当該外壁と、２つの対向面の間にある上記閉鎖容積とを通る方向に見たときに透明である２つの外壁（１０、１１）と、
上記閉鎖容積（Ｖ）に含まれる液体またはゲルと、
上記液体または上記ゲルに分散された第一および第二の電気的活性物質であって、互いに異なる酸化−還元電位値を有しており、当該第一および当該第二の電気的活性物質の少なくとも一部は、当該物質の酸化形態と還元形態との間で異なる光学効果を有している第一および第二の電気的活性物質と、
対となる透明な供給電極（１、２）であって、上記システムの動作における同じ瞬間に、上記第一および上記第二の電気的活性物質の間での反転モードにおいて、上記電気的活性物質の少なくとも一部から電子を輸送するか、または上記電気的活性物質の少なくとも一部へと電子を輸送することを目的として、上記２つの外壁のうち１つ（１０）によって共に支持されているとともに、上記システムに電流を供給するために第一の可変電源（２０）の２つの出力端子の各々と接続されるように形成された、透明な供給電極（１、２）とを備えており、
当該システムは、対となる透明な第一の分極用電極（３、４）であって、上記２つの外壁のうち、上記供給電極（１、２）を支持している方（１０）でない方の外壁（１１）によって共に支持されているとともに、当該システム内において上記供給電極と接続しておらず、また、当該第一の分極用電極（３、４）は、上記外壁（１０、１１）と直交する方向（Ｄ）に沿った上記閉鎖容積のいずれかの側面上に、供給電極（１、２）と一対一に対向して配置されている第一の分極用電極（３、４）をさらに備えており、
当該システムは、対となる透明な第二の分極用電極（６、７）であって、上記供給電極（１、２）を一方とし、当該供給電極を支持している上記外壁（１０）を他方としてこれらの間に配置されているとともに、上記システム内において上記供給電極と接続することなく、上記外壁（１０、１１）と直交している方向（Ｄ）に沿って上記供給電極（１、２）と並列に一対一で配置されている第二の分極用電極（６、７）をさらに備えており、
上記第一の分極用電極（３、４）の各々、および、上記外壁（１０、１１）と直交する方向（Ｄ）に沿って上記第一の分極用電極と並列して配置された上記第二の分極用電極（６、７）のうち１つは、第二の可変電源（２１）の２つの出力端子とそれぞれ接続されるように形成されており、上記システムの動作の少なくともある瞬間には互いに一致する極性をそれぞれ有しており、上記供給電極（１、２）と上記第二の分極用電極（３、４）とは互いに並列しており、上記第一の電源（２０）および第二の電源（２１）の上記出力端子は、上記供給電極（１、２）の一方、および上記第二の分極用電極（３、４）の一方と接続されており、上記極性は対応する電源のその他の出力端子についてそれぞれ決定されていることを特徴とするシステム。
【請求項４】
酸化形態にある上記第一の電気的活性物質の各々は、上記第二の電気的活性物質の各々の還元形態における電荷より大きい電荷を有している請求項１から３のいずれか１項に記載のシステム。
【請求項５】
観賞用眼鏡、ゴーグル用眼鏡、光学レンズ、ヘルメットのバイザー、航空機の窓、またはガラス窓の少なくとも一部を形成している、請求項１から４のいずれか１項に記載のシステム。
【請求項６】
第一の分極用電極（３、４）の各々が、上記閉鎖容積（Ｖ）に含まれる上記液体または上記ゲルと接触している、請求項１から５のいずれか１項に記載のシステム。
【請求項７】
第一の分極用電極（３、４）の各々と、上記閉鎖容積（Ｖ）に含まれる上記液体または上記ゲルとの間における接触を防止するために配置されている少なくとも１つの絶縁膜（５）を備えている、請求項１から５のいずれか１項に記載のシステム。
【請求項８】
上記閉鎖容積（Ｖ）に仕切りを形成することによって、上記外壁（１０、１１）と平行に並んだ複数のセル（１３）とする内壁（１２）のネットワークをさらに備えており、上記内壁は上記外壁と直交しており、上記内壁の中では、上記２つの供給電極（１、２）のそれぞれが各セルの中で上記液体または上記ゲルと接触しており、上記セルに含まれる上記液体または上記ゲルは上記第一および上記第二の電気的活性物質の両方を含んでいる、請求項１から７のいずれか１項に記載のシステム。
【請求項９】
上記閉鎖容積（Ｖ）に仕切りを形成することによって、上記外壁（１０、１１）と平行に並んだ複数のセル（１３）とする内壁（１２）のネットワークをさらに備えており、上記内壁は上記外壁と直交しており、上記内壁の中では、上記２つの供給電極（１、２）のそれぞれが少なくとも一部のセルの中で上記液体または上記ゲルと接触しており、供給電極（１）の１つによって供給される第１のセルが、第一および第二のセルの間の塩橋（１４）を介して、他の上記供給電極（２）によって供給される第２のセルと隣接している、請求項１から７のいずれか１項に記載のシステム。
【請求項１０】
上記第一の分極用電極に近接する上記電気的活性物質があるセル（１３）から隣接するセルに移動することを防止するように、上記内壁（１２）の少なくとも一部は、上記外壁（１０、１１）と直交している方向（Ｄ）に沿って、上記第一の分極用電極（３、４）を支持している上記外壁（１１）に向かって、上記外壁の側面において上記セルを閉鎖するまで伸長している、請求項９に記載のシステム。
【請求項１１】
一方の上記供給電極（１）によって電力が供給されている上記セル（１３）内の上記液体または上記ゲルは、第二の電気的活性物質を含まずに第一の電気的活性物質を含んでおり、もう一方の上記供給電極（２）によって電力が供給されている上記セル（１３）内の上記液体または上記ゲルは、第一の電気的活性物質を含まずに第二の電気的活性物質を含んでいる、請求項９または１０に記載のシステム。
【請求項１２】
請求項１〜１１のいずれか１項に記載の透明なエレクトロクロミックシステム（１００）と、
上記供給電極（１、２）とそれぞれ接続された２つの出力端子を有し、上記供給電極同士の間に、上記第一の電気的活性物質と上記第二の電気的活性物質との間における各酸化−還元電圧値の差を超える電圧を印加することによって当該システム（１００）に電流を供給するように適合された上記第一の可変電源（２０）と、
上記第一の分極用電極と接続された第一の出力端子を有する少なくとも１つの上記第二の可変電源（２１）とを備えている、エレクトロクロミック装置。
【請求項１３】
エレクトロクロミックシステム（１００）は請求項１または２に記載の構成に従っており、
上記第二の電源（２１）の第二の出力端子は、上記第二の電源の上記第一の出力端子が接続された上記第一の分極用電極（３）に対向して位置づけられている上記供給電極（１）に接続されており、
上記第二の電源（２１）の上記第一の出力端子は、上記第二の電源の上記第二の出力端子が接続されている電源とは別の上記供給電極（２）にさらに接続されており、
上記第二の電源（２１）の上記第二の出力端子が、上記第二の電源の上記第一の出力端子が接続されている電源とは別の上記第一の分極用電極（４）にさらに接続されており、
上記システムの動作の少なくともある瞬間において互いに一致するそれぞれの極性を持って、上記第一の電源（２０）および上記第二の電源（２１）の上記出力端子は、上記供給電極（１、２）のうち１つに接続されており、対応する上記電源の他の上記出力端子について、上記極性がそれぞれ決定されている、請求項１２に記載のエレクトロクロミック装置。
【請求項１４】
エレクトロクロミックシステム（１００）は請求項１または２に記載の構成に従っており、
上記第二の電源（２１）の第二の出力端子は、上記第二の電源の上記第一の出力端子に接続されている上記第一の分極用電極（３）に対向して位置づけられている供給電極（１）に接続されており、
上記第二の電源（２１）の上記第二の出力端子が接続されているものとは別の供給電極（２）に接続されている第一の出力端子と、上記第二の電源（２１）の上記第一の出力端子が接続されているものとは別の第一の分極用電極（４）に接続されている第二の出力端子とを有する第三の可変電源（２２）をさらに備え、
システムの動作の少なくともある瞬間に互いに一致するそれぞれの極性を持って、上記第一の電源（２０）および第二の電源（２１）または第三の電源（２２）の上記出力端子は、上記供給電極（１、２）のうち１つと接続されており、上記極性は、対応する電源の他の出力端子に関してそれぞれ決定されている、請求項１２に記載のエレクトロクロミック装置。
【請求項１５】
上記エレクトロクロミックシステム（１００）は請求項２に記載の構成に従っており、
上記電源（２０、２１、２２）の少なくとも１つが、上記電源の上記出力端子とは異なる電位を有する基準端子を有しており、電位を有する上記基準端子は、上記追加の分極用電極（９）に接続されている、請求項１３または１４に記載の装置。
【請求項１６】
上記エレクトロクロミックシステム（１００）は請求項３に記載の構成に従っており、
上記第二の電源（２１）の第二の出力端子は、上記第二の電源の上記第一の出力端子が接続されている上記第一の分極用電極（３）と並列に位置づけられている上記第二の分極用電極（６）に接続されており、
上記第の二電源（２１）の上記第一の出力端子は、上記第二の電源の上記第一の出力端子が接続されているものとは別の上記第二の分極用電極（７）にさらに接続されており、
上記第二の電源（２１）の上記第二の出力端子は、上記第二の電源の上記第一の出力端子が接続されているものとは別の上記第一の分極用電極（４）にさらに接続されており、
システムの動作の少なくともある瞬間に互いに一致するそれぞれの極性を持って、第一（２０）および第二（２１）の電源の上記出力端子はそれぞれ、上記供給電極（１、２）の１つ、および、各々が他方のレベルに位置づけられている上記第二の分極用電極（６、７）のうち１つにそれぞれ接続されており、上記極性は、対応する電源の他の上記出力端子に関してそれぞれ決定されている、請求項１２に記載のエレクトロクロミック装置。
【請求項１７】
上記エレクトロクロミックシステム（１００）は請求項３に記載の構成に従っており、
上記第二の電源（２１）の第二の出力端子は、上記第二の電源の上記第一の出力端子が接続されている第一の分極用電極（３）のレベルに位置づけられている上記第二の分極用電極（６）に接続されており、
当該装置は、上記第二の電源（２１）の上記第二の出力端子が接続されているものとは別の第二の分極用電極（７）に接続されている第一の出力端子と、上記第二の電源（２１）の上記第一の出力端子が接続されているものとは別の第一の分極用電極（４）に接続されている第二の出力端子とを有する第三の可変電源（２２）をさらに備えており、
システムの動作の少なくともある瞬間に互いに一致するそれぞれの極性を持って、上記第一の電源（２０）および第二の電源（２１）または第三の電源（２２）の上記出力端子はそれぞれ、上記供給電極（１、２）のうちの１つ、および各々が他方と並行に位置づけられている上記第二の分極用電極（６、７）のうち１つに接続しており、上記極性は、対応する電源の他の出力端子に関してそれぞれ決定されている、請求項１２に記載のエレクトロクロミック装置。
【発明の詳細な説明】
【発明の詳細な説明】
【０００１】
本発明は、複数の分極用電極を有する透明なエレクトロクロミックシステム、およびそのようなシステムを備えているエレクトロクロミック装置にも関する。
【０００２】
従来の方法において、エレクトロクロミックシステムは、光透過率の光学特性が、当該システムの２つの供給端子間に印加される電流を受けて変化することができる透明な素子である。この目的を達するために、エレクトロクロミックシステムは、
―２つの外壁が閉鎖容積を規定し、２つの外壁と、２つの対向する面の間にある上記閉鎖容積とを通る注視方向について透明であるシステムと、
―閉鎖容積に含まれる液体またはゲルと、
―上記液体または上記ゲルに分散される第一および第二の電気的活性物質であって、それぞれが互いに異なる酸化還元電位値を有しており、少なくとも一部の第一および第二の電気的活性物質は、これらの物質の酸化形態および還元形態間で異なる光学的効果を有している第一および第二の電気的活性物質と、
―当該システムの動作の同じ瞬間に、第一の電気的活性物質および第二の電気的活性物質間で反転したモードにおいて、少なくとも一部の電気的活性物質へと電子を輸送するか、または少なくとも一部の電気的活性物質から電子を輸送するために、当該システムに電流を供給するための可変電源の２つの出力端子にそれぞれ接続されるように形成された、対となる透明な供給電極とを通常は含んでいる。
【０００３】
本発明の基本構造において、透明な素子とは、一側面上に位置するユーザに対して、この素子を通して、当該素子の他の側面上かまたは当該素子から離れた位置に存在する物体についての明瞭な視界を与える光学素子のことを意味する。言い換えると、物体の像は、物体と透明な素子との間の第一の非ゼロ距離を越えて伝播し、透明な素子を通過し、透明な素子とユーザの目との間の第二の非ゼロ距離を伝播する光によって、ユーザの網膜に形成される。この目的を達成するため、透明な素子を通過した物体の一点の像が、ユーザに認識される像においても、広がったスポットではなく、一点の像となるように、上記の光学素子によって引き起こされる光の拡散および／または回折は、十分に低くなければならない。
【０００４】
そのようなエレクトロクロミックシステムは、光透過率が高い値となる明状態と、低い値となる暗状態の間において、このシステムを通して光の透過率の値を変化させることを目的としている。この目的を達成するため、供給電源によって、２つの供給電極の間に適切な電界が生じているとき、第一および第二の電気的活性物質は、一方が酸化されると同時に、他方については還元され、それぞれ、電源の正極端子に接続されている供給電極上、および同じ電源の負極端子に接続されている電極上にある。このようにして形成された酸化物質および還元物質は、閉鎖容積内で拡散する可能性があり、これらが出会うと相互に中性化される。そのような中性化により、電流消費の増大化を招く。同時に、この中性化によって、暗状態のエレクトロクロミックシステムの光透過率が、電気的活性物質の濃度から生じる値よりも大きな飽和値に制限される可能性がある。言い換えると、電気的活性物質の相互中性化は、２つの状態（明状態と暗状態）間のシステムの光透過率値間の差異を縮小する可能性がある。電気的活性物質の相互中性化は、エレクトロクロミックシステムのダイナミクスとも呼ばれる。
【０００５】
さらに、電気的活性物質のいくつかが供給電極の１つに接触して反応すると、電気的活性物質は、この電極に近接した状態を保ち、そうして同じ供給電極に対する未反応の他の電気的活性物質の接近を制限する可能性がある。その結果、明状態および暗状態間のエレクトロクロミックシステムの切り換え速度の低下が生じる。このような減速は、多数の応用におけるシステムの機能および使用に対する不利益となる。
【０００６】
これらの状況において、本発明の目的の一つは、電流の消費が低減されるエレクトロクロミックシステムの構造の提案にある。
【０００７】
本発明の別の目的は、切り換えダイナミクスの増大を可能にするエレクトロクロミックシステムのための構造の提案にある。
【０００８】
さらに、本発明の別の目的は、優れた切り換え速度を有するエレクトロクロミックシステムのための構造の提案にある。
【０００９】
さらに、本発明のさらなる目的は、製造することが容易なエレクトロクロミックシステムの提案にある。
【００１０】
それ故、本発明は、これらの技術的問題に対する解決法をそれぞれ構成する、２つのエレクトロクロミックシステムを提案している。本発明のそれぞれのエレクトロクロミックシステムは前述した形式のものである。特に、当該システムを通して明瞭な像を可能とするために、各エレクトロクロミックシステムは透明である。
【００１１】
さらに、本発明のシステムにおいて、２つの供給電極は、これらのシステムそれぞれの２つの外壁のうち１つによって共に支持されている。
【００１２】
本発明によって提案される第一のエレクトロクロミックシステムは、対となる透明な第一の分極用電極をさらに含み、当該システム内においてこれらの供給電極と接続することなく、上記２つの外壁のうち、上記供給電極を支持するものとは別の外壁によって、共に支持されている。さらに、これらの第一の分極用電極は、閉鎖容積の一側面上において、上記外壁に対して直交している方向に、上記供給電極と対向して一対一で位置づけられている。
【００１３】
この第一のシステムにおいて、互いに対向して位置する第一の分極用電極および供給電極のそれぞれは、第二の可変電源の２つの出力端子とさらに接続されるように形成されている。上記電極は、当該システムの動作の少なくともある瞬間に一致する、それぞれの極性を有しており、上記第一の出力端子および上記第二の電源の出力端子は上記供給電極のうち１つと接続されており、これらの極性は、対応する電源の他の出力端子に関してそれぞれ考慮されている。
【００１４】
本発明によって提案される第二のエレクトロクロミックシステムは、上述した本発明の第一のシステムのものと同一の構成で、対となる第一の分極用電極を備えており、これらの第一の分極用電極の配列を有している。しかし、第二のエレクトロクロミックシステムは、対となる透明な第二の分極用電極をさらに備えている。上記対となる透明な第二の分極用電極は、一方は供給電極とし他方はこれらの供給電極を支持する外壁として、これらの間に位置づけられている。さらに、第二の分極用電極は、当該システム内のこれらの供給電極に接続することなく、外壁に対して直交している方向に沿って、供給電極と並列して１対１で配置されている。
【００１５】
この第二のシステムにおいて、第一の分極用電極の各々と、外壁に対して直交する方向に沿って第一の分極用電極と並列に位置づけられている第二の分極用電極のうちの１つとは、第二の可変電源の２つの出力端子にそれぞれ接続されるように形成されている。さらに、供給電極の１つにそれぞれ接続されている第一および第二の電源の出力端子と、互いに並列に位置づけられている第二の分極用電極の１つとは、システムの動作の少なくともある瞬間に互いに一致する極性をそれぞれ有している。これらの極性は、対応する電源の他の出力端子に関してそれぞれ考慮されている。
【００１６】
一般的に、本発明で紹介されたすべての分極用電極は、エレクトロクロミックシステム内において電気的に相互分離されるとともに、各供給電極に関して分離されている。
【００１７】
しかし、本発明で提案される第一のエレクトロクロミックシステムは、それぞれの供給電極を、外壁に対して直交している方向に沿って一列に並べられた第二の分極用電極の供給電極と結合することによって、第二のエレクトロクロミックシステムから推論され得る。この理由により、上記２つのシステムは、同様の前記技術的課題を同様にして克服する。
【００１８】
本発明の２つのエレクトロクロミックシステムにおいて、それぞれの第一の分極用電極に接続するための追加の電源が提供される。これにより、各システムは、一般的に、当該システムに電流を供給するために設けられた第一の電源に加え、その分極に対して設けられた１つまたは２つの電源と電気的に接続される。この第一の供給電源とは異なり、分極に対して設けられた各電源は、エレクトロクロミックシステムの２つの電極間に電圧を印加するが、これらの電極に電流を供給することはしない。
【００１９】
両方の場合において、それぞれの第二の電源は、電気的活性物質を含む当該システムの閉鎖容積内において電界を生じる。この電界は、ある１つの供給電源上で酸化または還元された物質のほうを、同じ供給電極上で反応する前の同一物質よりも、閉鎖容積の反対側面へと強く引き付ける。このように、酸化または還元されようとする電気的活性物質による供給電極へのアクセスが改善され、当該システムの切り換え速度を増加させる。
【００２０】
さらに、酸化された第一の電気的活性物質、および還元された第二の電気的活性物質、またはその逆の場合の電気的活性物質は、エレクトロクロミックシステム切り換えのその時点での方向によって、互いに異なる第一の分極用電極に引き付けられる。これにより、上記２つの電気的活性物質は、互いに距離を保つことができ、相互中性化を制限する。それ故、この中性化により生じる当該システムの電力消費、および有色状態の飽和が回避されるか、または部分的に抑制される。特に、エレクトロクロミックシステムの切り換えダイナミクスが、これにより強化される。
【００２１】
エレクトロクロミックシステムの１回の切り換えの間に形成される電気的活性物質の酸化形態と還元形態とのこのような分離は、これらの形態がそれぞれ有する電荷が互いに異なるほど、また、特に、各電気的活性物質の酸化形態が、他の電気的活性物質の還元形態の電荷よりも大きい電荷を有するほど、よりいっそう効果的となり得る。言い換えると、酸化形態における第一の電気的活性物質は、好ましくはその還元形態におけるそれぞれの第二の電気的活性物質よりも大きいか、または同等の電荷をそれぞれ有する。対称的に、酸化形態におけるそれぞれの第二の電気的活性物質は、還元されたそれぞれの第一の電気的活性物質よりも大きいか、または同等の電荷を有する。これらの比較では、上記物質の電荷は、これら同士を比較するための代数値であるとみなされる。この場合、明状態から暗状態への切り換え、およびその逆の場合の両方の切り換えが、本発明によって促進される。２つの電気的活性物質のうち１つの電気的活性物質の酸化形態の電荷が、他の電気的活性物質の還元形態の電荷よりも大きい場合、エレクトロクロミックシステムの２つの状態のうち１つの状態のみが、本発明によって改善される。
【００２２】
しかしながら、電気的活性物質が等しい電荷を有するとき、反対の形態における他の電気的活性物質と比較して、電気的活性物質のいくつかの形態に対し、これらの物質の各々の移動特性による、いずれかの分極用電極への引力が生じる可能性がある。
【００２３】
それでも、電気的活性物質のうちの１つの酸化形態の電荷のほうが、1回の切り換えの間に形成される他の物質の還元形態の電荷よりも非常に大きいため、本発明の効果がなお大きい。
【００２４】
さらに、すべての電極、供給電源および分極が、当該システムの外壁によって支持されているならば、その後者は容易に製造することができる。それぞれの電極は、エレクトロクロミックシステム内における付加的な支持要素の必要性なしに、対応する外壁に堆積された薄層の形態で製造されてもよい。さらに、対となる電極は、対応する外壁上において、同一のパターンを有してもよいため、これらの形態を規定するために、電極のそれぞれの対に対して１つのマスクを使用することができる。
【００２５】
本発明に係るエレクトロクロミックシステムの種々の実施形態において、電気的活性物質が分散された液体またはゲルを含んでいる閉鎖容積は、外壁に対して平行に並べられたセルに分割されてもよい。この場合、各セルは、それぞれの対となる電極について、その一方または両方による電気的効果を受けた液体またはゲルの一部を含んでいる。
【００２６】
本発明に係るエレクトロクロミックシステムは、多数の光学部品の一部を少なくとも形成することができる（例えば、観賞用眼鏡、ゴーグル用眼鏡、光学用レンズ、ヘルメットのバイザー、航空機の窓、およびガラス窓）。
【００２７】
最後に、本発明はまた、
―前述したような、透明な第一または第二のエレクトロクロミックシステムと、
―供給電極にそれぞれ接続されている２つの出力端子を有しており、第一および第二の電気的活性物質のそれぞれの酸化還元電位値の間の差異よりも大きな電圧を、２つの供給電極間に印加することによって、システムに電流を供給することができる第一の可変電源と、
―第一の分極用電極の少なくとも１つに接続されている第一の出力端子を有する、少なくとも１つの第二の可変電源とを備えているエレクトロクロミック装置を提案する。
【００２８】
本発明で提案された第一のエレクトロクロミックシステムが使用されるとき、第二の電源の第二の出力端子は、同じ第二の電源の第一の出力端子が接続されている第一の分極用電極と対向して位置づけられている供給電極に接続されてもよい。この場合、第二の電源の第一の出力端子は、この第二の電源の第二の出力端子が接続されている供給電極とは別の供給電源にさらに接続されてもよい。同時に、第二の電源の第二の出力端子は、第二の電源の第一の出力端子が接続されている分極用電極とは別の第一の分極用電極にさらに接続されてもよい。これにより、供給電極の１つに接続されている第一および第二の電源の出力端子は、システムの動作の少なくともある瞬間に、互いに一致する極性をそれぞれ有している。これらの極性は、対応する電源の他の出力端子に関してそれぞれ考慮されている。こうして、２つの電源のみで動作するエレクトロクロミック装置が得られる。
【００２９】
本発明の第一のエレクトロクロミックシステムを用いて、３つの電源を有している装置がまた形成されてもよい。この目的を達成するために、第二の電源の第二の出力端子は、この第二の電源の第一の出力端子が接続されている第一の分極用電極と対向して位置づけられている供給電極に接続される。それゆえ、当該装置は、第三の電源をさらに備え、第二の電源の第二の出力端子が接続されている供給電極とは別の供給電極に接続されている第一の出力端子を有しており、第二の電源の第一の出力端子が接続されている分極用電極とは別の第一の分極用電極に接続されている第二の出力端子を有している。この場合、供給電極の１つに接続されている第一および第二または第三の電源の出力端子は、システムの動作の少なくともある瞬間に互いに一致する極性を有する。上記極性は、対応する電源の他の出力端子に関してそれぞれ考慮される。
【００３０】
同様に、本発明によって提案された第二のエレクトロクロミックシステムを用いることによって、２つまたは３つの電源を有している装置が形成されてもよい。第二および／または第三の電源の接続では、本発明の第一のシステムについての上述の接続に対して、それぞれの供給電源が、外壁に対して直交している方向に並べられた第二の分極用電極と置換される。
【００３１】
本発明の他の特徴および利点は、本発明を限定するものではない以下の実施形態の説明により明確になるであろう。実施形態の説明では、以下の添付図面を参照する、
―図１ａおよび１ｂは、本発明に係る２つの第一のエレクトロクロミックシステムの断面図である。
―図２ａおよび２ｂは、図２ａおよび２ｂに従うエレクトロクロミック装置を備えた第一のシステムを示しており、それぞれ２つまたは３つの電源を有している図である。
―図３ａおよび３ｂは、それぞれ、本発明に従う２つの第二のエレクトロクロミックシステムについての、図１ａおよび１ｂに対応している。
―図４ａおよび４ｂは、図３ａおよび３ｂの第二のシステムについての、図２ａおよび２ｂにそれぞれ対応している。
【００３２】
明解さのために、これらの図に示されている異なる素子の大きさは、実際の大きさや寸法の関係と一致していない。さらに、互いに異なる図において付与された同一の参照番号は、同一の素子、または同一の機能を示している。
【００３３】
しかし、内壁１２は、図２ａ、２ｂ、４ａおよび４ｂには示されておらず、本発明全体に対しては任意であると理解される。内壁１２は特に、図１ａおよび３ａ、または図１ｂおよび３ｂに適用することができる。
【００３４】
さらに、例示によってここで説明される当該システムは、観賞用眼鏡を形成することを目的とされているが、これらのシステムの外壁を特に適切に適用することによって、他の透明な素子を形成してもよいことが理解される。
【００３５】
図１ａ、１ｂ、および３ａ、３ｂによると、エレクトロクロミックシステム１００は、２つの外壁１０ならびに１１を備えており、内部容積Ｖに仕切りを入れている。容積Ｖは、例えば周辺部の封（示されていない）によって閉じられている。外壁１０および１１は、柔らかい膜であってもよい〔例えば、テレフタル酸ポリエチレン（ＰＥＴ）フィルム、ポリカーボネート（ＰＣ）フィルム、またはポリイミドフィルム〕。そのような膜は、特に厚さ５０μｍのｅ11を特に有していてもよい。外壁１０はまた、通常は眼科分野で用いられるところの、無機物、有機物、またはハイブリッド物質でできた観賞用眼鏡であってもよい。
【００３６】
下記のすべての供給電極および分極用電極は、システム１００内で電気的に互いに孤立化される。供給電極および分極用電極は、スズドープ酸化インジウム（インジウムスズ酸化物に対するＩＴＯ）、またはフッ素ドープ酸化スズ（ＳｎＯ２：Ｆ）から形成されている。これらの電極は、パターン化された薄層の形状において対応する壁１０、１１の内面上に堆積されていてもよく、例えば０．１μｍおよび３μｍの間で構成される層の厚みを有していてもよい。
【００３７】
外壁１０は、１および２で参照される２つの供給電極を支持している。これらの電極１および２は、容積Ｖに含まれている液体またはゲルと接触している。当該電極は、外壁１０に平行な間隙Ｉによって互いに分離されたままで、それぞれのいかなる補完的なパターンを有していてもよい。この間隙Ｉは、電極１および電極２が電気的に互いに分離されることを確実にすることができる。特に、電極１および２は、例えば、５０μｍおよび１．５ｍｍ（ミリメータ）の交互のピッチで伸長する櫛歯を備えた櫛状のパターンを有していてもよい。当該間隙Ｉは、例えば１８μｍ幅を有していてもよい。
【００３８】
外壁１１は、３および４で参照される２つの第一の分極用電極を支持している。これらの電極３および４は、容積Ｖの一側面上に、外壁１０および１１に対して直交しているＤ方向に沿って、電極１および２と対向して一対一で位置づけられている。それ故、電極３は、方向Ｄに沿って電極１と一列に並べられており、電極４は、電極２と一列に並べられている。
【００３９】
本発明に係るすべてのエレクトロクロミックシステム１００において、それぞれの分極用電極３、４は、容積Ｖに含まれている液体またはゲルと接触してもよい。また、分極用電極３、４、および液体またはゲルの間の接触を避けるために、少なくとも１つの電気的な絶縁膜を、分極用電極４および容積Ｖの間の分極用電極３および４上に並べてもよい。すべての図において、そのような絶縁膜は５で参照されており、この絶縁膜が体系的に存在するものではないことを示すために、対応するシステム１００の一部にしか示されていない。当該絶縁膜が用いられるとき、絶縁膜５は、厚さ０．１μｍ未満のｅ５のシリカ（ＳｉＯ２）を有して形成されている。
【００４０】
方向Ｄにおける容積Ｖの厚さは、例えば２０μｍである。
【００４１】
外壁１０および１１は、電極１から４と同様に、外壁１１の２つの対向面の間でシステム１００を通る光線に対して透明であり、特に、方向Ｄに対して平行にシステム１００を通る光線に対して透明である。
【００４２】
容積Ｖに含まれている液状媒体は、その組成によれば液体またはゲルである。
当該液状媒体は、システム１００の動作の間に、供給電極１および２上において酸化還元されるように構成された電気的活性物質を含んでいる。当該液状媒体はまた、他の添加物を含んでいてもよい（例えば、電気的活性物質に共通する溶剤、対ＵＶ物質、可塑剤など）。
【００４３】
容積Ｖに含まれている電気的活性物質は、次の例のようであってもよい。
―飽和状態の塩化水銀基準電極に対しておよそ０．２Ｖ（ボルト）の酸化還元電位値を有するテトラメチル-フェニレンジアミンＮ，Ｎ，Ｎ’，Ｎ’であって、還元形態において、無色かつ電気的に中性であり、酸化形態においては正電荷を有しており青色であるテトラメチル-フェニレンジアミンＮ，Ｎ，Ｎ’，Ｎ’と、
―飽和状態の塩化水銀電極に対しておよそ−１．５Ｖの酸化還元電位値を有するエチル-アントラキノン分子であって、酸化形態においては無色であり、還元形態においては赤色であり、さらに、酸化形態においては中性であり、還元形態においては負に帯電しているエチル-アントラキノン分子。
【００４４】
供給電極１および２の間の電圧がゼロであるとき、それぞれの酸化還元電位値のため、これら２つの物質のうち、第１の供給電極は還元形態であり、第２の供給電極は酸化形態である。その結果、エレクトロクロミックシステムは明状態となり、高い光透過率値を有する（例えば７０％以上、望ましくは８０％以上）。２つの供給電極１および２の間に印加された電圧は、およそ１.７Ｖより大きいとき、テトラメチル-フェニレンジアミンＮ，Ｎ，Ｎ’，Ｎ’は、エレクトロクロミックシステムの電源の正出力端子に接続されているこれらの電極１および２のうち１つとの接触により酸化され、エチル-アントラキノン分子は、同じ電源の負出力端子に接続している他の供給電極に接触すると還元される。その結果、エレクトロクロミックシステム１００は、青色を吸収するようになる。すると、特に電気的活性物質の濃度の作用として、光透過率は２０％未満になり得る（例えば１０％未満）。
【００４５】
これら２つの電気的活性物質は、エレクトロクロミックシステム１００の吸収状態に対する望ましい光吸収レベルの関数として、それぞれ、０．００１から１ｍｏｌ．ｌ−１（１リットル中のｍｏｌ）の間に含まれる濃度をそれぞれ有して容積Ｖに導入されてもよい。例えば、２つの電気的活性物質は、０．２ｍｏｌ．ｌ−１と等しくてもよい。
【００４６】
特に、本発明の特定の実施形態において、システム１００は、外壁１０および１１に対して平行に並べられたセル１３となるように容積Ｖに対して仕切りを形成する、内壁１２のネットワークを任意で含んでいてもよい。内壁１２は、外壁１０および１１に直交しており、容積Ｖに含まれる液体またはゲルを、セル１３にそれぞれ含まれる液体またはゲルの部分に分割する。壁１２の構成および実施形態は、当業者には理解されるであろうから、ここでは繰り返さない。例えば壁１２は０．１μｍ以上、望ましくは、０．５から８μｍの間に含まれる厚さをそれぞれ有していてもよいし、セル１３は、例えば、外壁１０および１１に対して平行に５０μｍから１．５ｍｍの間に含まれる大きさを有していてもよい。その結果、セル１３は、壁１０および１１に対して平行に、例えば六角形、ランダム、または擬似ランダムのパターンといったあらゆる規則的なパターンを有するエレクトロクロミックシステム１００のモザイク細工を形成する。
【００４７】
図１ａに示されている容積Ｖを仕切る第一の方法によると、２つの供給電極１および２は、各セル１３に含まれる液体またはゲルにそれぞれ接触しており、各セルに含まれる液体またはゲルは、第一および第二の電気的活性物質を両方含んでいる。それ故、２つの電極１および２は、すべてのセル１３の液体またはゲルの一部と接触している。有利な実施形態によると、外壁１０および１１に対して平行に、対応するそれぞれの内壁１２の一方の側にある電極を伸長することによって、内壁１２のいくつかは、電極１と３との間で伸長することが可能となっており、他の内壁１２は、電極２と４との間で伸長することが可能となっている。それ故、電極１から４は、隣接したセル１３の間で連続的にそれぞれ伸長し、各セル１３は、このセル内にある２つの電極１および２のそれぞれが伸長することによって、当該電極１および２から供給を受けることができる。
【００４８】
図１ｂに示されている容積Ｖの仕切りの第二のモードによると、少なくとも一部のセル１３において、２つの供給電極１および２のうちの１つは、それぞれのセルに含まれる液体またはゲルと接触している。この場合、電極１および２のうち１つによって供給される第一のセル１３は、他の電極１または２によって供給される第二のセル１３に隣接している。可能な実施形態によると、内壁１２のいくつかは、電極間におけるＤ方向の分離間隙Ｉのレベルで、外壁１０および１１の間で伸長してもよい。システム１００内において、イオンブリッジ１４は、電極１および電極２によって別々に供給される周辺のセル１３と、電気的に接続している。そのようなイオンブリッジは、電気化学で通常用いられる方法のうちの１つによって製造されてもよい。例えば、イオンブリッジ１４は内壁１２の端（例えば外壁１１の側面）に位置していてもよい。また、イオンブリッジ１４は、特に後者が電気的活性物質を備えた液体またはゲルに含まれている小さいイオンに対して透明であるときに、内壁１２で製造されてもよい。これらのイオンブリッジ１４は、システム１００の動作の度に、それぞれのセル１３の内容物を電気的に中性にする。それ故、イオンブリッジ１４は、システム１００を安定的な状態に保つことができる。
【００４９】
２つの供給電極１または２のうち１つのみが、システム１００それぞれのセル１３に供給するとき、液体またはゲルは、これらの供給電極のうち１つによって供給されるセル１３内に、第二の電気的活性物質を含まずに第一の電気的活性物質を含むこともできるし、また、もう一方の供給電極によって供給されるセル１３内に、第一の電気的活性物質を含まずに第二の電気的活性物質を含むこともできる。例えば図１ｂの容積Ｖを仕切る方法では、電極１によって供給されるセル１３の電気的活性物質は、テトラメチル-フェニレンジアミン分子のみを含む一方、電極２によって供給されるセル１３の電気的活性物質は、エチル−アントラキノン分子のみを含むことができる。この場合、生産後のシステム１００の第一の切り換えは、電極１を電源の正出力端子に接続し、またこの電源の電極２を負出力端子に接続することによって実行される。
【００５０】
第一の可変電源２０は、説明されたシステム１００すべての使用において、この第一の可変電源２０は、その２つの電流出力端子によって、供給電極１および２と電気的に接続されている。電源２０は、その出力端子間に、第一および第二の電気的活性物質のそれぞれの酸化還元電位値間の差異よりも大きいか、または同等の電圧を作り出すことができる。次に、電源２０は、電極１および２の間でシステム１００を流れる電流を発生する。システム１００を明状態から暗状態に切り換える間、テトラメチル-フェニレンジアミン分子は、電源２０の正出力端子に接続されている供給電極１または２の１つに接触することで酸化され、エチル-アントラキノン分子は、電源２０の負出力端子に接続されている他の電極１または２に接触することで還元される。そのため、図２ａ、２ｂ、４ａ、および４ｂに示されている電源２０の接続後、テトラメチル-フェニレンジアミン分子は、電極１で酸化され、エチル-アントラキノン分子は、電極２で還元される。明状態に戻すため、電源２０の極性は、供給電極１および２に関して反転される。酸化テトラメチル-フェニレンジアミン分子は、その結果、電極１で還元され、先に還元されていたエチル-アントラキノン分子は、電極２で再び酸化される。
【００５１】
電源２０は、直流電源またはパルス電源であってもよい。
【００５２】
図２ａに係る第二の可変電源２１は、供給電極１および分極用電極３の間で、電気的に接続されてもよい。同時に、第三の可変電源２２は、供給電極２および分極用電極４の間で電気的に接続されてもよい。それぞれの電源２１または２２は、接続されるシステム１００の２つの電極間に、電流を流すことなく電圧を発生することができる。この理由から、電源２１および２２は、分極電源と称されている。従って、それらのどちらもが、供給電源極１または２のうちの１つと、この供給電極の反対側に位置づけられている分極用電極３または４との間で、容積Ｖに電界を生じる。
【００５３】
システム１００が切り換えられるとき、分極電源２１および２２のそれぞれの極性は、供給電源２０の極性によって決定される。それ故、明状態から暗状態に切り換える間、供給電極１は、電源２０の正出力端子に加えて、供給電源２１の正出力端子にも接続される。その結果、分極用電極３は、電源２１の負出力端子に接続される。同時に、供給電極２は、電源２０の負出力端子に加えて、電源２２の負出力端子に接続される。また、分極用電極４は、供給電源２２の正出力端子に接続される。電極１および３の間の供給電源２１によって生じた電界の効果の下で、正電気を帯びた酸化テトラメチル-フェニレンジアミン分子は、電極１から電極３へ移動する。この移動は、未反応のテトラメチル-フェニレンジアミン分子に対する供給電極１のアクセスを確実に向上させる。
【００５４】
同様に、システム１００の着色過程の間、還元エチル-アントラキノン分子は、供給電極２では負に帯電した形態を有しているため、分極用電極４に移動する。それ故、システムの切り換えの間、供給電極１および２において同時に生成されているすべての電気的活性物質の酸化還元形態は、互いに離れた状態を保っている。酸化されたものは、供給電源２１または２２のうちの１つの負出力端子に接続されている分極用電極３または４の１つに近接した状態を保っており、他方の供給電源２１または２２の正出力端子に接続されたほうの、還元された電気的活性物質は、他方の分極用電極３または４に近接した状態を保っている。これにより、容積Ｖの異なる区域に空間的に分離されているため、相互の中性化は避けられる。すべての図において、容積Ｖ内にＥと記された矢印は、上述した電界の方向を示している。
【００５５】
それ故、電気的活性物質の酸化還元形態の電荷によると、本発明に係る分極用電極の使用により、以下の有益な効果が達成される：
―システム切り換えの間、帯電し、当該電極において反応しようとする電気的活性物質に対する引力であって、エレクトロクロミックシステムに電流を供給する電極への引力と、
―未反応の電気的活性物質による、これらの電極へのアクセスを改善するための、供給電極に対する供給電極において既に反応した電気的活性物質の距離と、
―供給電極において既に反応した電気的活性物質の、エレクトロクロミックシステムの内部容積の異なる区域への分離。
【００５６】
エレクトロクロミックシステムの切り換えスピードがより高速であることは、初めの２つの効果から生じる結果である。さらに、最後に記載した効果により、供給電極において酸化または還元された後で、電気的活性物質の相互中性化が避けられる。それ故、この相互中性化によって引き起こされる付加的な電流の消費は避けられる。同様に、電気的活性物質の対応する濃度値よりも大きな値にある暗状態において、これもまた電気的活性物質の相互中性化により発生するところの、システムの光透過率の飽和を避けることができる。
【００５７】
上述した改善によって、電気活性種のすべての相互中性化を完全に避けことが可能となる。容積Ｖが、２つの電極１または２のうちの１つによってそれぞれ供給されるセル１３に分割されるときに、適用することができる。システム１００のそのような構成において、少なくとも一部の内壁１２は、外壁１１側のセル１３が閉鎖されるまで、Ｄ方向に沿って分極用電極３および４を支持する外壁１１に向かって伸長することができる。セル１３のそのような閉鎖は、分極用電極３および４に近接した電気的活性物質がセル１３から隣接したセルへ通過し得ないようにすることに適合される。しかし、特にイオンブリッジ１４が容積Ｖの一部として提供されるとき、極小サイズのイオンは、電極３および４に近接するこれらの壁１２を通過することも同時に可能である。
【００５８】
着色が進行する場合のエレクトロクロミックシステムの切り換えに対する本発明の利点は説明されたが、この説明を踏まえると、当業者は、システム切り換えを逆の場合（暗状態から明状態）に転用する方法を理解するであろう。両方向への切り換えにおいて、本発明によって同じ利点が提供される。
【００５９】
本発明によって導入された分極用電極の動作によると、電気的活性物質は、これらの電極上で酸化または還元されない。絶縁膜５の使用は、分極用電極３および４において酸化還元反応が確実に起こり得ないようにする。この目的を達成するための別の方法は、分極用電源２１および２２が、絶対値における第一および第二の電気的活性物質のそれぞれの酸化還元電位値間の差異よりも小さくなるように、分極用電源２１および２２によって生産される電界を限定することである。
【００６０】
図２ａに係る装置の別の改善によると、使用されるエレクトロクロミックシステムは、追加の透明な分極用電極９をさらに備えることができる。分極用電極９は、一方は供給電極１および２に、もう一方は外壁１０に位置づけられている。この追加の電極９は、供給電極１および２、容積Ｖに含まれる液体またはゲル、ならびに分極用電極３および４との接触を有さない。例えば、絶縁体の中間層８は、電極９と電極１および２との間に挿入されてもよい。追加の電極９は、電位を有している基準端子に接続されるように形成されている。特に、電源２１および２２のうち少なくとも１つは、基準電位端子を有してもよい。後者ならびに２つの供給電源２１および２２のそれぞれの望ましい基準電位端子は、付加的な接続２３によって、追加の分極用電極９と電気的に接続されてもよい。また、供給電源２０は、接続２３によって接続された基準電位電極を任意で有してもよい。電極９は、特に電極間の分離間隙Ｉのレベルにおいて、容積Ｖ全体内の電位の分布に対する改善された制御を提供する。
【００６１】
図２ｂの装置は、図２ａの装置に対応しており、図２ａの２つの電源２１および２２の機能を実現する１つの電気的分極源を有する。それ故、供給電極１が電源２０の正出力端子に接続され、また供給電極２が電源２０の負出力端子に接続された当該装置が動作するとき、２１として参照される１つの分極電源も、その正出力端子によって電極１および４に接続され、その負出力端子によって電極２および３に接続される。そのため、当該装置の動作は、図２ａに関して説明された内容と同一である。
【００６２】
図３ａおよび３ｂのエレクトロクロミックシステム１００は、図１ａおよび１ｂのシステムのすべての要素を備えている。エレクトロクロミックシステム１００は、第一の分極用電極対を形成している電極３および４を特に備えている。しかし、当該システム１００は、６および７として参照される第二の分極用電極対をさらに含んでいる。電極６および７は、電極７および壁１０の間の供給電極１および２のように、外壁１０によって支持されている。電極６および７は、絶縁体の中間層８によって、電極１および２に対して電気的に分離されてもよい。第二の分極用電極６および７は、さらに、任意で外壁１０上で同様のパターンを備え、供給電極１および２と並列に１対１で位置づけられている。そのため、分極用電極６は、方向Ｄに沿って供給電極１の下に位置づけられており、分極用電極７は、同様の方向Ｄに沿って供給電極２の下に位置づけられている。図３ａは、容積Ｖの仕切りを有しており、これにより、容積Ｖを、各々が２つの電極１および２によって同時に供給されている並列されたセル１３に分離するシステム１００を示している。図３ｂの仕切りにおいて、それぞれのセル１３は、隣接するセル１３ごとに交替する２つの電極１および２のうちの１つによって供給される。
【００６３】
図４ａの装置は、３つの可変電源を有する図３ａおよび３ｂのエレクトロクロミックシステムのうち、１つと結合させることによって形成される。これらの電源は、図２ａに関して導入された、分極用電源２１および２２の接続から離れている電源２０〜２２と同一である。分極用電源２１の出力端子は、ここでは分極用電極３および６に接続されている。正極の電源２１の出力端子のうちの１つは、供給電極１自身が電源２０の正出力端子に接続されているとき、装置が動作する瞬間に正極が電極６に接続される。供給電源２１の負出力端子は、次に、電極３に接続される。同時に、分極用電源２２の負出力端子は分極用電極７に接続されており、分極用電源２２の正出力端子は、電極４に接続されている。２つの分極用電源２１および２２の極性は、電源２０の極性の変化を受けて再び逆になる。それ故、分断は、一方では供給電極１および２の間で得られ、またもう一方では分極用電極６と７との間で得られる。しかし、装置の動作は、図２ａに関連して説明されたものと同一である。それぞれのセル１３が電極１および２のうちの１つによって供給されるとき、電気的活性物質により密封された内壁１２の使用、ならびに電源２０、２１、および２２のそれぞれの基準電位端子の接続もまた、前述の説明と同一である。
【００６４】
最後に、図４ｂは、２つの電源（当該システムに電流および１つの分極電源２１を供給するための電源２０）を有する、図３ａおよび３ｂに係るシステム１００の使用を示している。この使用は、図２ａおよび２ｂと同様にして、図４ａのシステム１００から推定することができる。
【００６５】
本発明は、前述の少なくともいくつかの利点を維持したままで、実施例によって説明された特徴を適用させることによって再現されることが理解される。特に、濃度値および／またはエレクトロクロミックシステムの素子の大きさは、考えられる応用に応じて修正されてよい。さらに、イオンを含む物質が、特にそのイオン伝導を増大させるために、液体またはゲルの構成にさらに追加されてもよい。
【図面の簡単な説明】
【００６６】
【図１ａ】本発明に係る２つの第一のエレクトロクロミックシステムの断面図である。
【図１ｂ】本発明に係る２つの第一のエレクトロクロミックシステムの断面図である。
【図２ａ】図２ａに係る、エレクトロクロミック装置を備えた第一のシステムを示しており、２つの電源を有している図である。
【図２ｂ】図２ｂに係る、エレクトロクロミック装置を備えた第一のシステムを示しており、３つの電源を有している図である。
【図３ａ】本発明に係る２つの第二のエレクトロクロミックシステムに対する図１ａに対応している図である。
【図３ｂ】本発明に係る２つの第二のエレクトロクロミックシステムに対する図１ｂに対応している図である
【図４ａ】図３ａおよび３ｂに示す第二のシステムについて、図２ａに対応している。
【図４ｂ】図３ａおよび３ｂに示す第二のシステムについて、図２ｂに対応している。
【図１ａ】
0005600744.tif 000002
【図１ｂ】
0005600744.tif 000003
【図２ａ】
0005600744.tif 000004
【図２ｂ】
0005600744.tif 000005
【図３ａ】
0005600744.tif 000006
【図３ｂ】
0005600744.tif 000007
【図４ａ】
0005600744.tif 000008
【図４ｂ】
0005600744.tif 000009